【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
デバイスにおける方法であって、
ソフトウェア製品の製品キーを入手するステップと、
前記製品キーを用いて、前記ソフトウェア製品を有効化するために、アクティベーション・サービスにアクセスするステップと、
前記アクティベーション・サービスから、前記ソフトウェア製品と関連付けられたディジタル・ライセンスを受け取るステップと、
前記ディジタル・ライセンスを前記デバイスのユーザーのユーザーＩＤに結び付けるステップと、
リモート・ライセンス管理デバイスに、前記ディジタル・ライセンスと、このディジタル・ライセンスが前記ユーザーＩＤに結び付けられていることの指示とをセーブするステップと、
前記デバイスからログアウトするユーザー要求に応答して、前記デバイスからの前記ディジタル・ライセンスのアンインストールを可能にするステップと、
を含む、方法。
【請求項２】
請求項１記載の方法において、前記ユーザーＩＤが、前記デバイスのユーザーを特定する証明書を含み、前記方法が、更に、
前記リモート・ライセンス管理サービスから、追加のソフトウェア製品と関連付けられた追加のディジタル・ライセンスを入手するステップであって、前記追加のディジタル・ライセンスが前記ユーザーＩＤに結び付けられた、ステップと、
前記デバイスのユーザーが、前記追加のディジタル・ライセンスにしたがって、前記デバイスにおいて前記追加のソフトウェア製品を用いることを可能にするステップと、
を含む、方法。
【請求項３】
請求項１記載の方法において、更に、前記ディジタル・ライセンスを、前記デバイスのローカル・ストアにセーブするステップを含む、方法。
【請求項４】
請求項１記載の方法において、前記ディジタル・ライセンスが、前記製品キーおよび前記ユーザーＩＤ双方を含み、前記ディジタル・ライセンスが前記ユーザーＩＤに結び付けられていることの前記指示が、前記ディジタル・ライセンスにおけるユーザーＩＤを含む、方法。
【請求項５】
請求項１記載の方法であって、更に、
前記ディジタル・ライセンスを前記リモート・ライセンス管理サービスにセーブした後、前記ディジタル・ライセンスを取り出す要求を、前記リモート・ライセンス管理サービスに送るステップと、
前記リモート・ライセンス管理サービスから、前記ディジタル・ライセンスを受け取るステップと、
前記ユーザーが前記デバイスを使用するのを停止したときに、前記ディジタル・ライセンスを前記デバイスから取り除くステップと、
を含む、方法。
【請求項６】
請求項１記載の方法であって、更に、
前記ディジタル・ライセンスが前記デバイスにローカルに格納されていないとき、前記リモート・ライセンス管理サービスに、前記ディジタル・ライセンスを取り出す要求を送るステップと、
前記リモート・ライセンス管理サービスから、前記ディジタル・ライセンスを受け取るステップと、
を含む、方法。
【請求項７】
請求項１記載の方法であって、前記デバイスからの前記ディジタル・ライセンスのアンインストールを可能にするステップは、更に、前記ユーザーＩＤを認証するオンライン・サービスからログアウトするユーザー要求に応答して、前記デバイスからの前記ディジタル・ライセンスのアンインストールを可能にするステップを含む、方法。
【請求項８】
請求項１記載の方法において、前記ディジタル・ライセンスが前記ユーザーＩＤに結び付けられる前に、前記ユーザーＩＤが、オンライン認証サービスによって認証された、方法。
【請求項９】
請求項１記載の方法において、前記ディジタル・ライセンスが、前記ディジタル・ライセンスをユーザーに与える権利の組を特定する、方法。
【請求項１０】
請求項１記載の方法であって、前記デバイスを電力停止するユーザー要求に応答して、前記デバイスからの前記ディジタル・ライセンスのアンインストールを可能にするステップを含む、方法。
【請求項１１】
請求項９記載の方法であって、更に、前記ディジタル・ライセンスが前記ユーザに与える前記権利の組は、前記ソフトウェア製品のいくつのコピーが異なったデバイスにおいて同時に走らせることができるかの指示を含む、方法。
【請求項１２】
ライセンス管理サービスにおいて実施される方法であって、
ソフトウェア製品のディジタル・ライセンスを受け取るステップであって、前記ディジタル・ライセンスが、製品キーを用いて前記ソフトウェア製品が有効化されたデバイスから受け取られる、ステップと、
前記ディジタル・ライセンスをライセンス・ストアにセーブするステップであって、前記ディジタル・ライセンスが、前記デバイスにおける前記ソフトウェア製品の有効化時間の間において、前記デバイスのユーザーの第１ユーザーＩＤに結び付けられている、ステップと、
前記ディジタル・ライセンス内に含まれた更新メッセージ・フィールドを更新するステップであって、前記更新メッセージ・フィールドが、前記ディジタル・ライセンスを前記ライセンス・ストアにセーブすることの成功／失敗状態を示すように構成された、ステップと、
前記第１ユーザーＩＤに結び付けられた前記ディジタル・ライセンスのいくつのコピーが１つ以上のクライアント・デバイスに送られたかのカウントを維持して、前記第１ユーザーＩＤに結び付けられた前記ディジタル・ライセンスの前記コピーの前記カウントがしきい値数を越える時の特定を可能にするステップと、
を含む、方法。
【請求項１３】
請求項１２記載の方法において、前記ディジタル・ライセンスが、前記ユーザーＩＤを含むユーザー証明書を格納するフィールドを含む、方法。
【請求項１４】
請求項１３記載の方法において、前記ディジタル・ライセンスが、暗号化された形態で前記製品キーを格納する追加のフィールドを含む、方法。
【請求項１５】
請求項１２記載の方法であって、更に、前記ディジタル・ライセンスを異なるユーザーに移す要求を受けるステップと、前記異なるユーザーのユーザーＩＤである第２ユーザーＩＤを含むように、前記ディジタル・ライセンスを変更するステップとを含む、方法。
【請求項１６】
請求項１２記載の方法であって、更に、前記ディジタル・ライセンスを異なったユーザーに移す要求を受けるステップと、該要求に応答して前記製品キーを使用不可能にするためにソフトウェア活性化サービスに指示を送るステップと、を含む、方法。
【請求項１７】
請求項１２記載の方法であって、更に、
製品有効性判断サービスから、前記製品キーに基づく前記ディジタル・ライセンスの履歴を受け取るステップと、
前記ディジタル・ライセンスの履歴を前記ディジタル・ライセンスにセーブするステップと、
を含む、方法。
【請求項１８】
請求項１２記載の方法であって、更に、
製品登録サービスから、前記ユーザーから収集された製品登録情報を受け取るステップと、
前記製品登録情報を前記ディジタル・ライセンスにセーブするステップと、
を含む、方法。
【請求項１９】
請求項１２記載の方法であって、更に、
関係サービスから、前記製品キーと関連付けられた１つ以上のエンティティの識別を受け取るステップと、
前記１つ以上のエンティティの識別を前記ディジタル・ライセンスにセーブするステップと、
を含む、方法。
【請求項２０】
複数の命令を格納した１つ以上のコンピュータ記憶媒体であって、前記複数の命令は、デバイスの１つ以上のプロセッサにより実行されると、前記１つ以上のプロセッサに、
ソフトウェア製品の製品キーを入手するステップと、
前記製品キーを用いて、前記ソフトウェア製品を有効化するために、アクティベーション・サービスにアクセスするステップと、
前記アクティベーション・サービスから、前記ソフトウェア製品のディジタル・ライセンスを受け取るステップであって、前記ディジタル・ライセンスが、前記製品キーと、前記ディジタル・ライセンスが前記デバイスのユーザーに与える権利の組と、の双方を含む、ステップと、
前記デバイスのユーザーのユーザーＩＤを前記ディジタル・ライセンスに含めることによって前記ディジタル・ライセンスを前記デバイスの前記ユーザーの前記ユーザーＩＤに結び付けるステップであって、前記ユーザーＩＤが、前記デバイスの前記ユーザを特定しかつオンライン・サービスの認証サービスから得る証明書を含む、ステップと、
リモート・ライセンス管理デバイスに、前記ユーザーＩＤに結び付けられた前記ディジタル・ライセンスをセーブするステップであって、複数の他のデバイスで前記ソフトウェア製品を走らせるために前記リモート・ライセンス管理サービスから前記ディジタル・ライセンスを取り出すことができるようにする、ステップと、
前記デバイスからログアウトするユーザー要求に応答して、前記デバイスから前記ディジタル・ライセンスを除去することを可能にするステップと、
前記デバイスを電力停止するユーザー要求に応答して、前記デバイスから前記ディジタル・ライセンスを除去することを可能にするステップと、
を実行させる、１つ以上のコンピュータ記憶媒体。